(57)【要約】      （修正有）【課題】グループ通信システムにおいて少なくとも１つのクライアントノードをページングするための、方法、制御ノード、コンピュータプログラム及びコンピュータプログラム製品を提供する。【解決手段】方法は、グループ通信システムの制御ノードによって実施され、グループ通信システムにおいて少なくとも１つのクライアントノードをページングすることの要求を取得し、少なくとも１つのクライアントノードにマルチメディアブロードキャストマルチキャストサービス（ＭＢＭＳ）ベアラ上で少なくとも１つのクライアントノードのためのページングメッセージを送信する。【選択図】図５
2020109981.tif 000002
【特許請求の範囲】
【請求項１】
グループ通信システム（１００、１１００ａ、１１００ｂ、１１００ｃ）の制御ノード（２００）によって実施される、前記グループ通信システム（１００、１１００ａ、１１００ｂ、１１００ｃ）において少なくとも１つのクライアントノード（３００ａ、３００ｂ、３００ｃ、３００ｄ、３００ｅ）をページングするための方法であって、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得すること（Ｓ１０２）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信すること（Ｓ１０６）と
を備える方法。
【請求項２】
ページングする前記必要性を取得することは、
少なくとも１つのパケットが、前記少なくとも１つのクライアントノード（３００ａ、３００ｂ、３００ｃ、３００ｄ、３００ｅ）に宛てられるという指示を取得すること（Ｓ１０２ａ）
を備える、請求項１に記載の方法。
【請求項３】
前記ページングメッセージ（１１２０）は、前記少なくとも１つのパケットが、ユニキャストベアラを介して前記少なくとも１つのクライアントノード（３００ａ、３００ｂ、３００ｃ、３００ｄ、３００ｅ）に送信されることになることを示す、請求項２に記載の方法。
【請求項４】
前記少なくとも１つのクライアントノード（３００ａ、３００ｂ、３００ｃ、３００ｄ、３００ｅ）が、前記グループ通信システム（１００、１１００ａ、１１００ｂ、１１００ｃ）においてＭＢＭＳベアラ上でグループ呼に参加し、ページングする前記必要性を取得することは、
前記グループ呼がユニキャストベアラに移動されることになるという指示を取得すること（Ｓ１０２ｂ）
を備える、請求項１に記載の方法。
【請求項５】
前記ページングメッセージ（１１２０）が、少なくとも１つのクライアントノード（３００ａ、３００ｂ、３００ｃ、３００ｄ、３００ｅ）に送信される個々のページングメッセージ（１１２０）を表す、請求項１に記載の方法。
【請求項６】
前記個々のページングメッセージ（１１２０）が、前記少なくとも１つのクライアントノード（３００ａ、３００ｂ、３００ｃ、３００ｄ、３００ｅ）のうちの１つの識別子を備える、請求項５に記載の方法。
【請求項７】
前記ページングメッセージ（１１２０）が、クライアントノード（３００ａ、３００ｂ、３００ｃ、３００ｄ、３００ｅ）のグループ（１１１０ａ、１１１０ｂ）に送信される、１つの共通グループページングメッセージ（１１２０）を表す、請求項１に記載の方法。
【請求項８】
前記グループページングメッセージ（１１２０）が、前記少なくとも１つのクライアントノード（３００ａ、３００ｂ、３００ｃ、３００ｄ、３００ｅ）の前記グループ（１１１０ａ、１１１０ｂ）の識別子を備える、請求項７に記載の方法。
【請求項９】
前記ＭＢＭＳベアラが、前記グループ通信システム（１００、１１００ａ、１１００ｂ、１１００ｃ）においてサービス告知のために使用される、請求項１に記載の方法。
【請求項１０】
前記ＭＢＭＳベアラが、前記グループ通信システム（１００、１１００ａ、１１００ｂ、１１００ｃ）においてフロア制御のために使用される、請求項１に記載の方法。
【請求項１１】
前記ＭＢＭＳベアラが、前記グループ通信システム（１００、１１００ａ、１１００ｂ、１１００ｃ）において制御メッセージのために使用される、請求項１に記載の方法。
【請求項１２】
前記ＭＢＭＳベアラが、前記グループ通信システム（１００、１１００ａ、１１００ｂ、１１００ｃ）において一般グループ通信ＭＢＭＳベアラである、請求項１に記載の方法。
【請求項１３】
前記ページングメッセージ（１１２０）を送信するために使用される前記ＭＢＭＳベアラが、前記少なくとも１つのクライアントノード（３００ａ、３００ｂ、３００ｃ、３００ｄ、３００ｅ）の、現在のサービスエリア識別子（ＳＡＩ）によって規定される第１のエリアにおいて、または前記現在のＳＡＩに隣接するＳＡＩによって規定される少なくとも１つの第２のエリアにおいてアクティブである、請求項１に記載の方法。
【請求項１４】
前記少なくとも１つのクライアントノード（３００ａ、３００ｂ、３００ｃ、３００ｄ、３００ｅ）の現在のロケーションを取得すること（Ｓ１０４）をさらに備え、前記現在のロケーションが前記現在のＳＡＩを規定する、
請求項１３に記載の方法。
【請求項１５】
前記少なくとも１つのクライアントノード（３００ａ、３００ｂ、３００ｃ、３００ｄ、３００ｅ）は、前記ページングメッセージ（１１２０）がブロードキャストされるときにアイドルモードにある、請求項１に記載の方法。
【請求項１６】
クライアントノード（３００ａ）によって実施される、グループ通信システム（１００、１１００ａ、１１００ｂ、１１００ｃ）においてページングを受信するための方法であって、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること（Ｓ２０４）
を備える方法。
【請求項１７】
前記クライアントノード（３００ａ）が、前記ページングメッセージ（１１２０）を受信するときにアイドルモードにある、請求項１６に記載の方法。
【請求項１８】
前記ページングメッセージ（１１２０）は、前記クライアントノード（３００ａ）に宛てられた少なくとも１つのパケットが、ユニキャストベアラを介して前記クライアントノード（３００ａ）に送信されることになることを示す、請求項１６に記載の方法。
【請求項１９】
前記ページングメッセージ（１１２０）は、前記クライアントノード（３００ａ）がユニキャスト無線ベアラを収集するものとすることを示す、請求項１６に記載の方法。
【請求項２０】
前記ページングメッセージ（１１２０）を受信するより前に前記ＭＢＭＳベアラを監視すること（Ｓ２０２）
をさらに備える、請求項１６に記載の方法。
【請求項２１】
前記ページングメッセージ（１１２０）を受信すると、
コアネットワークノードとのサービス要求を開始すること（Ｓ２０６）と、
無線アクセスベアラ（ＲＡＢ）を再確立することによって、接続モードに入ること（Ｓ２０８）と
をさらに備える、請求項１６に記載の方法。
【請求項２２】
ページングメッセージ（１１２０）が前記クライアントノード（３００ａ）の個々の識別子を備える、請求項１６に記載の方法。
【請求項２３】
前記ページングメッセージ（１１２０）が、クライアントノード（３００ａ、３００ｂ、３００ｃ、３００ｄ、３００ｅ）のグループ（１１１０ａ、１１１０ｂ）のグループ識別子を備え、前記クライアントノード（３００ａ）が前記グループ（１１１０ａ、１１１０ｂ）のメンバーである、請求項１６に記載の方法。
【請求項２４】
前記ＭＢＭＳベアラが、前記グループ通信システム（１００、１１００ａ、１１００ｂ、１１００ｃ）においてサービス告知のために使用される、請求項１６に記載の方法。
【請求項２５】
前記ＭＢＭＳベアラが、前記グループ通信システム（１００、１１００ａ、１１００ｂ、１１００ｃ）においてフロア制御のために使用される、請求項１６に記載の方法。
【請求項２６】
前記ＭＢＭＳベアラが、前記グループ通信システム（１００、１１００ａ、１１００ｂ、１１００ｃ）において制御メッセージのために使用される、請求項１６に記載の方法。
【請求項２７】
前記ＭＢＭＳベアラが、前記グループ通信システム（１００、１１００ａ、１１００ｂ、１１００ｃ）において一般グループ通信ＭＢＭＳベアラである、請求項２６に記載の方法。
【請求項２８】
処理回路（２１０）を備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、前記処理回路が、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得することと、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信することと
を行わせるように設定される、制御ノード（２００）。
【請求項２９】
処理回路（２１０）と、
命令を記憶するコンピュータプログラム製品（４１０ａ）と
を備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、前記命令が、前記処理回路（２１０）によって実行されるとき、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得することと、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信することと
を行わせる、制御ノード（２００）。
【請求項３０】
グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得するように設定された取得モジュール（２１０ａ）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信するように設定された送信モジュール（２１０ｂ）と
を備える制御ノード（２００）。
【請求項３１】
処理回路（３１０）を備える、グループ通信システム（１００、１１００ａ、１１００ｂ、１１００ｃ）においてページングを受信するためのクライアントノード（３００ａ）であって、前記処理回路が、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること
を行わせるように設定される、クライアントノード（３００ａ）。
【請求項３２】
処理回路（３１０）と、
命令を記憶するコンピュータプログラム製品（４１０ｂ）と
を備える、グループ通信システム（１００、１１００ａ、１１００ｂ、１１００ｃ）においてページングを受信するためのクライアントノード（３００ａ）であって、前記命令が、前記処理回路（３１０）によって実行されるとき、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること
を行わせる、クライアントノード（３００ａ）。
【請求項３３】
グループ通信システム（１００、１１００ａ、１１００ｂ、１１００ｃ）においてページングを受信するためのクライアントノード（３００ａ）であって、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信するように設定された受信モジュール（３１０ａ）
を備えるクライアントノード（３００ａ）。
【請求項３４】
コンピュータコードを備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするためのコンピュータプログラム（４２０ａ）であって、前記コンピュータコードが、制御ノード（２００）の処理回路（２１０）上で起動するとき、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得すること（Ｓ１０２）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信すること（Ｓ１０６）と
を行わせる、コンピュータプログラム（４２０ａ）。
【請求項３５】
コンピュータコードを備える、グループ通信システム（１００、１１００ａ、１１００ｂ、１１００ｃ）においてページングを受信するためのコンピュータプログラム（４２０ｂ）であって、前記コンピュータコードが、クライアントノード（３００ａ）の処理回路（３１０）上で起動するとき、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること（Ｓ２０４）
を行わせる、コンピュータプログラム（４２０ｂ）。
【請求項３６】
請求項３２および３３のうちの少なくとも一項に記載のコンピュータプログラム（４２０ａ、４２０ｂ）と、前記コンピュータプログラムが記憶されるコンピュータ可読ストレージ媒体（４３０）とを備えるコンピュータプログラム製品（４１０ａ、４１０ｂ）。
【発明の詳細な説明】
【技術分野】
【０００１】
本明細書で提示する実施形態は、グループ通信システムにおいて少なくとも１つのクライアントノードをページングするための、方法、制御ノード、コンピュータプログラム、およびコンピュータプログラム製品に関する。本明細書で提示する実施形態はさらに、グループ通信システムにおいてページングを受信するための、方法、クライアントノード、コンピュータプログラム、およびコンピュータプログラム製品に関する。
【背景技術】
【０００２】
通信ネットワークにおいては、所与の通信プロトコル、そのパラメータ、および通信ネットワークが配置されている物理環境に対して、良好なパフォーマンスおよび容量を取得するための難題が存在することがある。
【０００３】
いくつかの通信システムにおいて利用可能な適用例の一例は、グループ通信サービスである。一般論として、グループ通信は、同じ情報またはメディアが複数のクライアントノードに配信されることを意味する。グループ通信システム（たとえば、プッシュツートーク（ＰＴＴ）システム）では、同じメディアを受信するクライアントノードが、クライアントノードのグループを構成する。これらのクライアントノードは、異なるロケーションに位置することがある。多くのクライアントノードが同じエリア内に位置する場合、たとえば、マルチメディアブロードキャストマルチキャストサービス（ＭＢＭＳ）を使用する、マルチキャストまたはブロードキャストベースの送信は、時間および周波数リソースなどの通信リソースがクライアントノード間で共有されるので、クライアントノードのグループへの通信に対して効率的である。クライアントノードが、大きい地理的エリア上に広がる場合、クライアントノードのグループへの通信のためにユニキャスト送信を使用することがより効率的になり得る。しかしながら、ＭＢＭＳベースの送信が選好される場合でも、クライアントノードのすべてのグループをサーブするために利用可能な十分なＭＢＭＳリソースがないことがある。いくつかのクライアントノードとそれらのグループとは、その場合、ユニキャスト送信を使用してサーブされてもよい。
【０００４】
グループ通信システムにおいてメディアをブロードキャストするためにＭＢＭＳを使用するとき、送信クライアントノードは、グループ通信システムにメディアを送信するためにユニキャスト送信を使用し、グループ通信システムにおける制御ノードは、グループ通信に参加するクライアントノードにメディアを送るためにブロードキャストベースの送信を使用する。
【０００５】
モバイル着信（ＭＴ：Ｍｏｂｉｌｅ  Ｔｅｒｍｉｎａｔｅｄ）トラフィック（すなわち、クライアントノードのうちの１つに着信したトラフィック）がアイドルモード（たとえば、電気通信規格のロングタームエボリューション（ＬＴＥ）スイートにおける無線リソース制御（ＲＲＣ）アイドル）にあるクライアントノードに対して開始されるとき、クライアントノードは通常眠っており、ページング情報について（たとえば、ＬＴＥにおける物理ダウンリンク制御チャネル（ＰＤＣＣＨ）を）周期的にリッスンするにすぎない。ページングメッセージがある場合、クライアントノードは、（ＬＴＥではＰＣＨと示される）ページングチャネルを復調する。ページングサイクルは、３２０ｍｓから２５６０ｍｓの間で設定され得る。これは、ページングサイクルが３２０ｍｓであるとき、クライアントノードのための平均起動時間が、ページングサイクルに関してトラフィックが到達するときに応じて１６０ｍｓであることを意味する。これに加えて、クライアントノード上の状態をアイドルモードから接続モードに変更するために約１００ｍｓがかかる。
【０００６】
そのような遅延は、いくつかの通信シナリオにおいて、たとえば、ブロードキャストベースの送信が遅延クリティカル適用例において使用されるときに問題である。
【０００７】
限定はしないが、ＰＴＴなど、リアルタイム適用例の場合、この問題は、ＰＴＴシステムがユニキャスト送信を使用しており、受信クライアントノードのうちのいくつかがアイドルモードにある場合、呼設定とマウスツーイヤー（ｍｏｕｔｈ−ｔｏ−ｅａｒ）遅延とに影響を及ぼすことがある。潜在的に、パケットは、クライアントノードが接続モードに達し、無線ベアラ（ＲＡＢ）を再確立するまでドロップされてもよい。
【０００８】
したがって、グループ通信システムにおいて、ＰＴＴなどのリアルタイムクリティカルサービスの改善されたハンドリングの必要性が依然として存在する。
【発明の概要】
【０００９】
本明細書の実施形態の目的は、グループ通信システムにおいて、ＰＴＴなどのリアルタイムクリティカルサービスの効率的なハンドリングを提供することである。
【００１０】
第１の態様によれば、グループ通信システムにおいて少なくとも１つのクライアントノードをページングするための方法が提示される。方法は、グループ通信システムの制御ノードによって実施される。方法は、グループ通信システムにおいて少なくとも１つのクライアントノードをページングすることの要求を取得することを備える。方法は、少なくとも１つのクライアントノードにマルチメディアブロードキャストマルチキャストサービス（ＭＢＭＳ）ベアラ上で少なくとも１つのクライアントノードのためのページングメッセージを送信することを備える。
【００１１】
有利なことに、この方法は、グループ通信システムにおいて、ＰＴＴなどのリアルタイムクリティカルサービスの効率的なハンドリングを可能にする、グループ通信システムにおけるクライアントノードの効率的なページングを提供する。
【００１２】
第２の態様によれば、グループ通信システムにおいて少なくとも１つのクライアントノードをページングするための制御ノードが提示される。制御ノードは、処理回路を備える。処理回路は、制御ノードに、グループ通信システムにおいて少なくとも１つのクライアントノードをページングすることの要求を取得させるように設定される。処理回路は、制御ノードに、少なくとも１つのクライアントノードにＭＢＭＳベアラ上で少なくとも１つのクライアントノードのためのページングメッセージを送信させるように設定される。
【００１３】
有利なことに、この制御ノードは、グループ通信システムにおいて、ＰＴＴなどのリアルタイムクリティカルサービスの効率的なハンドリングを可能にする、グループ通信システムにおけるクライアントノードの効率的なページングを提供する。
【００１４】
第３の態様によれば、グループ通信システムにおいて少なくとも１つのクライアントノードをページングするための制御ノードが提示される。制御ノードは、処理回路を備える。制御ノードは、処理回路によって実行されるとき、制御ノードに一組の動作、またはステップを実施させる命令を記憶するコンピュータプログラム製品を備える。一組の動作、またはステップは、グループ通信システムにおいて少なくとも１つのクライアントノードをページングすることの要求を取得するための制御ノードを伴う。一組の動作、またはステップは、少なくとも１つのクライアントノードにＭＢＭＳベアラ上で少なくとも１つのクライアントノードのためのページングメッセージを送信するための制御ノードを伴う。
【００１５】
有利なことに、この制御ノードは、グループ通信システムにおいて、ＰＴＴなどのリアルタイムクリティカルサービスの効率的なハンドリングを可能にする、グループ通信システムにおけるクライアントノードの効率的なページングを提供する。
【００１６】
第４の態様によれば、グループ通信システムにおいて少なくとも１つのクライアントノードをページングするための制御ノードが提示される。制御ノードは、グループ通信システムにおいて少なくとも１つのクライアントノードをページングすることの要求を取得するように設定された取得モジュールを備える。制御ノードは、少なくとも１つのクライアントノードにＭＢＭＳベアラ上で少なくとも１つのクライアントノードのためのページングメッセージを送信するように設定された送信モジュールを備える。
【００１７】
有利なことに、この制御ノードは、グループ通信システムにおいて、ＰＴＴなどのリアルタイムクリティカルサービスの効率的なハンドリングを可能にする、グループ通信システムにおけるクライアントノードの効率的なページングを提供する。
【００１８】
第５の態様によれば、グループ通信システムにおいて少なくとも１つのクライアントノードをページングするためのコンピュータプログラムが提示され、コンピュータプログラムは、制御ノードの処理回路上で起動するとき、制御ノードに第１の態様による方法を実施させるコンピュータプログラムコードを備える。
【００１９】
有利なことに、このコンピュータプログラムは、グループ通信システムにおいて、ＰＴＴなどのリアルタイムクリティカルサービスの効率的なハンドリングを可能にする、グループ通信システムにおけるクライアントノードの効率的なページングを提供する。
【００２０】
第６の態様によれば、グループ通信システムにおいてページングを受信するための方法が提示される。方法は、クライアントノードによって実施される。方法は、グループ通信システムの制御ノードからＭＢＭＳベアラ上でクライアントノードのためのページングメッセージを受信することを備える。
【００２１】
有利なことに、この方法は、グループ通信システムにおいて、ＰＴＴなどのリアルタイムクリティカルサービスの効率的なハンドリングを可能にする、グループ通信システムにおけるクライアントノードの効率的なページングを可能にする。
【００２２】
第７の態様によれば、グループ通信システムにおいてページングを受信するためのクライアントノードが提示される。クライアントノードは、処理回路を備える。処理回路は、クライアントノードに、グループ通信システムの制御ノードからＭＢＭＳベアラ上でクライアントノードのためのページングメッセージを受信させるように設定される。
【００２３】
有利なことに、このクライアントノードは、グループ通信システムにおいて、ＰＴＴなどのリアルタイムクリティカルサービスの効率的なハンドリングを可能にする、グループ通信システムにおけるクライアントノードの効率的なページングを可能にする。
【００２４】
第８の態様によれば、グループ通信システムにおいてページングを受信するためのクライアントノードが提示される。クライアントノードは、処理回路を備える。クライアントノードは、処理回路によって実行されるとき、クライアントノードに一組の動作、またはステップを実施させる命令を記憶するコンピュータプログラム製品を備える。一組の動作、またはステップは、グループ通信システムの制御ノードからＭＢＭＳベアラ上でクライアントノードのためのページングメッセージを受信するためのクライアントノードを伴う。
【００２５】
有利なことに、このクライアントノードは、グループ通信システムにおいて、ＰＴＴなどのリアルタイムクリティカルサービスの効率的なハンドリングを可能にする、グループ通信システムにおけるクライアントノードの効率的なページングを可能にする。
【００２６】
第９の態様によれば、グループ通信システムにおいてページングを受信するためのクライアントノードが提示される。クライアントノードは、グループ通信システムの制御ノードからＭＢＭＳベアラ上でクライアントノードのためのページングメッセージを受信するように設定された受信モジュールを備える。
【００２７】
有利なことに、このクライアントノードは、グループ通信システムにおいて、ＰＴＴなどのリアルタイムクリティカルサービスの効率的なハンドリングを可能にする、グループ通信システムにおけるクライアントノードの効率的なページングを可能にする。
【００２８】
第１０の態様によれば、グループ通信システムにおいてページングを受信するためのコンピュータプログラムが提示され、コンピュータプログラムは、クライアントノードの処理回路上で起動するとき、クライアントノードに第６の態様による方法を実施させるコンピュータプログラムコードを備える。
【００２９】
有利なことに、このコンピュータプログラムは、グループ通信システムにおいて、ＰＴＴなどのリアルタイムクリティカルサービスの効率的なハンドリングを可能にする、グループ通信システムにおけるクライアントノードの効率的なページングを提供する。
【００３０】
第１１の態様によれば、第５の態様および第１０の態様のうちの少なくとも１つによるコンピュータプログラムと、コンピュータプログラムが記憶されるコンピュータ可読ストレージ媒体とを備えるコンピュータプログラム製品が提示される。コンピュータ可読ストレージ媒体は、非一時的コンピュータ可読ストレージ媒体であってもよい。
【００３１】
有利なことに、このコンピュータプログラム製品は、グループ通信システムにおいて、ＰＴＴなどのリアルタイムクリティカルサービスの効率的なハンドリングを可能にする、グループ通信システムにおけるクライアントノードの効率的なページングを提供する。
【００３２】
有利なことに、これらの方法、この制御ノード、このクライアントノード、およびこれらのコンピュータプログラムは、クライアントノードへのパケットのダウンリンク配信を可能にするように無線ベアラをセットアップするために、レイテンシを最小限に抑える様式でリアルタイムクリティカルサービスをセットアップすることを可能にする。
【００３３】
第１、第２、第３、第４、第５、第６、第７、第８、第９、第１０、および第１１の態様の任意の特徴は、適切であればいかなる場合も、任意の他の態様に適用され得ることを留意されたい。同様に、第１の態様の任意の利点は、第２、第３、第４、第５、第６、第７、第８、第９、第１０、および／または第１１の態様にそれぞれ等しく適用することができ、その逆もまた然りである。同封の実施形態の他の目標、特徴、および利点は、以下の詳細な開示から、添付の従属請求項から、ならびに図面から明らかとなるであろう。
【００３４】
一般に、特許請求の範囲において使用されるすべての用語は、本明細書で別段明示的に規定されない限り、本技術分野におけるその通例の意味に従って読み取るべきである。「１つの（ａ／ａｎ）／その（ｔｈｅ）要素、装置、コンポーネント、手段、ステップ、その他」へのすべての参照は、別段明示的に記述されない限り、その要素、装置、コンポーネント、手段、ステップ、その他の少なくとも１つの実例を指すようにオープンに読み取るべきである。本明細書で開示するいずれの方法のステップも、明示的に記述されない限り、開示した厳密な順序で実施される必要はない。
【００３５】
次に、本発明の概念を、例として、付随する図面を参照して説明する。
【図面の簡単な説明】
【００３６】
【図１】実施形態による通信システムを例示する概略図である。
【図２ａ】一実施形態による制御ノードの機能ユニットを示す概略図である。
【図２ｂ】一実施形態による制御ノードの機能モジュールを示す概略図である。
【図３ａ】一実施形態によるクライアントノードの機能ユニットを示す概略図である。
【図３ｂ】一実施形態によるクライアントノードの機能モジュールを示す概略図である。
【図４】一実施形態によるコンピュータ可読手段を備えるコンピュータプログラム製品の一例を示す図である。
【図５】実施形態による方法の流れ図である。
【図６】実施形態による方法の流れ図である。
【図７】実施形態による方法の流れ図である。
【図８】実施形態による方法の流れ図である。
【図９】従来技術によるシグナリング図である。
【図１０】実施形態によるシグナリング図である。
【図１１】実施形態による通信システムを例示する概略図である。
【発明を実施するための形態】
【００３７】
次に、本発明の概念を、本発明の概念の一定の実施形態を示した付随する図面を参照して、以下でさらに十分に説明する。しかしながら、本発明の概念は、多くの異なる形態で具体化されてよく、本明細書で述べる実施形態に限定されるものとして解釈されるべきではない。むしろ、これらの実施形態は、本開示が徹底的かつ完全であり、本発明の概念の範囲を当業者に十分に伝えるように、例として提供される。同様の番号は、本説明を通して同様の要素を指す。破線によって例示される任意のステップまたは特徴は、随意とみなされるべきである。
【００３８】
図１は、本明細書で提示する実施形態が適用され得る、通信システム１００を例示する概略図である。通信システム１００は、グループ通信のためのサービスを提供すると仮定され、したがって、グループ通信システムとみなされてよい。グループ通信システム１００は、いくつかの態様によれば、プッシュツートーク（ＰＴＴ）システムである。
【００３９】
通信システム１００は、無線アクセスネットワーク１２０と、コアネットワーク１３０と、サービスネットワーク１４０とを備える。とりわけ、通信システム１００は、少なくとも１つの制御ノード２００と、少なくとも１つのクライアントノード３００ａ、３００ｂとを備える。少なくとも１つの制御ノード２００は、無線アクセスネットワーク１２０における無線アクセスネットワークノード１１０または別のエンティティもしくはデバイス、コアネットワーク１３０のエンティティもしくはデバイス、あるいはサービスネットワーク１４０のエンティティもしくはデバイスにおいて提供されるか、またはその上に設置されてよい。各クライアントノード３００ａ、３００ｂは、それぞれワイヤレスデバイス１５０ａ、１５０ｂにおいて提供されるか、またはその上に設置されてよい。無線アクセスネットワーク１２０は、コアネットワーク１３０に動作可能に接続され、コアネットワーク１３０は、サービスネットワーク１４０に動作可能に接続される。無線アクセスネットワークノード１１０は、それによって、ワイヤレスデバイス１５０ａ、１５０ｂ、したがって、クライアントノード３００ａ、３００ｂが、サービスネットワーク１４０によって提供される、サービスにアクセスし、データを交換することを可能にする。
【００４０】
ワイヤレスデバイス１５０ａ、１５０ｂの例は、限定はしないが、移動局、モバイルフォン、ハンドセット、ワイヤレスローカルループフォン、ユーザ機器（ＵＥ）、スマートフォン、ラップトップコンピュータ、およびタブレットコンピュータを含む。無線アクセスネットワークノード１１０の例は、限定はしないが、無線基地局、基地トランシーバ局、ノードＢ、エボルブドノードＢ、およびアクセスポイントを含む。当業者が理解するように、通信システム１００は、複数の無線アクセスネットワークノード１１０を備えることができ、各々は、複数のワイヤレスデバイス１５０ａ、１５０ｂにネットワークアクセスを提供する。
【００４１】
本明細書で開示する実施形態は、いかなる特定の数の無線アクセスネットワークノード１１０、クライアントノード３００ａ、３００ｂ、またはワイヤレスデバイス１５０ａ、１５０ｂにも限定されない。
【００４２】
次に、図９のシグナリング図を参照して、グループ通信システム１００において、第１のクライアントノードと示されているクライアントノード３００ａをページングすることの一例を詳細に開示する。
【００４３】
Ｓ３０１：第２のクライアントノードと示されているクライアントノード３００ｂは、第１のクライアントノード３００ａによって受信されることを意図されたデータを送信する。
【００４４】
Ｓ３０２：制御ノード２００は、第２のクライアントノード３００ｂが、第１のクライアントノード３００ａによって受信されることを意図されたデータを送信するという指示を取得する。それに応答して、制御ノード２００は、データをコアネットワーク１３０に送信する。
【００４５】
Ｓ３０３：コアネットワーク１３０は、無線アクセスネットワーク１２０を介して第１のクライアントノード３００ａをページングする。
【００４６】
Ｓ３０４：第１のクライアントノード３００ａは、ページングを受信したことに応答して、無線アクセスネットワーク１２０を介してコアネットワーク１３０へのサービス要求を行う。
【００４７】
Ｓ３０５：ユニキャスト無線アクセスベアラが、サービス要求に応答して第１のクライアントノード３００ａのために確立される。これは、第１のクライアントノード３００ａに接続モードに入らせる。
【００４８】
Ｓ３０６：コアネットワーク１３０は、確立された無線アクセスベアラを介してユニキャスト送信を使用して第１のクライアントノード３００ａにデータを配信する。
【００４９】
上述のように、限定はしないが、ＰＴＴなど、リアルタイム適用例の場合、クライアントノード３００ａ、３００ｂをページングする、現在使用されているプロシージャは、ＰＴＴシステムがユニキャスト送信を使用しており、受信クライアントノードのうちのいくつかがアイドルモードにある場合、呼設定とマウスツーイヤー遅延とに影響を及ぼすことがある。潜在的に、パケットは、クライアントノード３００ａ、３００ｂが接続モードに達し、無線ベアラ（ＲＡＢ）を再確立するまでドロップされてもよい。これは、通信システム１００におけるリアルタイムクリティカルサービスの改善されたハンドリングの必要性を生じる。
【００５０】
とりわけ、コアネットワーク１３０は、パケットデータネットワークゲートウェイ（ＰＧＷ）１３１と、サービングゲートウェイ（ＳＧＷ）１３２と、モビリティ管理エンティティ（ＭＭＥ）１３３と、マルチセル協調エンティティ（ＭＣＥ）１３４と、ブロードキャストマルチキャストサービスセンター（ＢＭ−ＳＣ）１３５と、ＭＢＭＳゲートウェイ（ＭＢＭＳ  ＧＷ）１３６とを備える。ＰＧＷ１３１、ＳＧＷ１３２、ＭＭＥ１３３、ＭＣＥ１３４、ＢＭ−ＳＣ１３５、およびＭＢＭＳ  ＧＷ１３６は、当技術分野で知られている機能を実施し、そのため、それらのさらなる説明は省略される。この点において、現況技術によるクライアントノード３００ａのページングは、（ＭＭＥ１３３からの）矢印１６０によって規定されるシグナリングフローに沿って実施され、下で開示する実施形態によるクライアントノード３００ａのページングは、（ＢＭ−ＳＣ１３５とＭＢＭＳ  ＧＷ１３６とを介する制御ノード２００からの）矢印１７０によって規定されるシグナリングフローに沿って実施される。
【００５１】
本明細書で開示する実施形態は、そのため、グループ通信システム１００、１１００ａ、１１００ｂ、１１００ｃにおいて少なくとも１つのクライアントノード３００ａ、３００ｂ、３００ｃ、３００ｄ、３００ｅをページングするための機構に関する。そのような機構を取得するために、制御ノード２００と、制御ノード２００によって実施される方法と、たとえばコンピュータプログラムの形態で、コードを備えるコンピュータプログラム製品とが提供され、コードは、制御ノード２００の処理回路上で起動するとき、制御ノード２００に方法を実施させる。本明細書で開示する実施形態はさらに、グループ通信システム１００、１１００ａ、１１００ｂ、１１００ｃにおいてページングを受信するための機構に関する。そのような機構を取得するために、クライアントノード３００ａと、クライアントノード３００ａによって実施される方法と、たとえばコンピュータプログラムの形態で、コードを備えるコンピュータプログラム製品とがさらに提供され、コードは、クライアントノード３００ａの処理回路上で起動するとき、クライアントノード３００ａに方法を実施させる。
【００５２】
図２ａは、いくつかの機能ユニットに関して、一実施形態による制御ノード２００のコンポーネントを概略的に例示する。処理回路２１０は、たとえば、ストレージ媒体２３０の形態で（図４にあるように）コンピュータプログラム製品４１０ａに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路２１０はさらに、少なくとも１つの特定用途向け集積回路（ＡＳＩＣ）、またはフィールドプログラマブルゲートアレイ（ＦＰＧＡ）として提供されてもよい。
【００５３】
とりわけ、処理回路２１０は、制御ノード２００に、一組の動作またはステップＳ１０２〜Ｓ１０６、Ｓ４０２、Ｓ４０３を実施させるように設定される。これらの動作またはステップＳ１０２〜Ｓ１０６、Ｓ４０２、Ｓ４０３は、下で開示することにする。たとえば、ストレージ媒体２３０は、一組の動作を記憶することができ、処理回路２１０は、制御ノード２００に一組の動作を実施させるために、ストレージ媒体２３０から一組の動作を取り出すように設定されてよい。一組の動作は、一組の実行可能な命令として提供されてよい。こうして処理回路２１０は、それによって、本明細書で開示する方法を実行するように構成される。
【００５４】
ストレージ媒体２３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【００５５】
制御ノード２００は、少なくともクライアントノード３００ａとの通信のための、通信インターフェース２２０をさらに備えることができる。そうしたことから、通信インターフェース２２０は、アナログおよびデジタルコンポーネントを備える１つまたは複数の送信機および受信機と、好適な数の、ワイヤレス通信のためのアンテナとワイヤライン通信のためのポートとを備えることができる。
【００５６】
処理回路２１０は、たとえば、データおよび制御信号を通信インターフェース２２０およびストレージ媒体２３０に送ることによって、データおよび報告を通信インターフェース２２０から受信することによって、ならびにデータおよび命令をストレージ媒体２３０から取り出すことによって、制御ノード２００の全般の動作を制御する。制御ノード２００の他のコンポーネント、ならびに関係する機能性は、本明細書で提示する概念を曖昧にしないように省略する。
【００５７】
図２ｂは、いくつかの機能モジュールに関して、一実施形態による制御ノード２００のコンポーネントを概略的に例示する。図２ｂの制御ノード２００は、いくつかの機能モジュール、すなわち、下のステップＳ１０２を実施するように設定された第１の取得モジュール２１０ａと、下のステップＳ１０６、Ｓ４０３を実施するように設定された送信モジュール２１０ｂとを備える。図２ｂの制御ノード２００はさらに、下のステップＳ１０２ａ、Ｓ４０２を実施するように設定された第２の取得モジュール２１０ｃ、下のステップＳ１０２ｂを実施するように設定された第３の取得モジュール２１０ｄ、および下のステップＳ１０４を実施するように設定された第４の取得モジュール２１０ｅのうちのいずれかなど、いくつかの随意の機能モジュールを備えることができる。各機能モジュール２１０ａ〜２１０ｅの機能性は、機能モジュール２１０ａ〜２１０ｅが使用され得るコンテキストにおいて下でさらに開示される。一般論として、各機能モジュール２１０ａ〜２１０ｅは、ハードウェアまたはソフトウェアで実装されてよい。好ましくは、１つもしくは複数の、またはすべての機能モジュール２１０ａ〜２１０ｅが、処理回路２１０によって実装されてよく、場合により機能ユニット２２０および／または２３０と協力して実装されてよい。処理回路２１０はこうして、機能モジュール２１０ａ〜２１０ｅによって提供される命令をストレージ媒体２３０からフェッチし、これらの命令を実行するように構成されてよく、それによって、以下で開示するように任意のステップを実施する。
【００５８】
制御ノード２００は、スタンドアロンデバイスとして、または少なくとも１つのさらなるデバイスの一部として提供されてよい。たとえば、制御ノード２００は、無線アクセスネットワークのノードにおいて、またはコアネットワークのノードにおいて提供されてよい。代替として、制御ノード２００の機能性が、少なくとも２つのデバイスまたはノード間で分散されてもよい。これらの少なくとも２つのノードまたはデバイスは、（無線アクセスネットワークまたはコアネットワークなどの）同じネットワーク部分の一部であってもよいし、少なくとも２つのそのようなネットワーク部分の間に散在してもよい。通信システム１００において制御ノード２００が提供され得る、いくつかの例が図１に例示されている。
【００５９】
制御ノード２００の機能性は、プロトコルスタックのサービスレイヤにおいて実装されてよい。一般論として、リアルタイムで実施することを要求される命令は、リアルタイムで実施することを要求されない命令よりも、動作可能に無線アクセスネットワークに近いデバイスまたはノードにおいて実施されてよい。この点において、制御ノード２００の少なくとも一部は、実施形態が、本明細書で開示するようにリアルタイムで実施される場合に、無線アクセスネットワークノードなどにおいて、無線アクセスネットワークに常駐することができる。
【００６０】
こうして、制御ノード２００によって実施される命令の第１の区分が第１のデバイスにおいて実行されてよく、制御ノード２００によって実施される命令の第２の区分が第２のデバイスにおいて実行されてよい。本明細書で開示する実施形態は、制御ノード２００によって実施される命令が実行され得るいかなる特定の数のデバイスにも限定されない。したがって、本明細書で開示する実施形態による方法は、クラウドコンピュータによる環境に常住する制御ノード２００によって実施されることに好適である。そのため、図２ａには単一の処理回路２１０が例示されているが、処理回路２１０は、複数のデバイスまたはノードの間で分散されてもよい。同じことは、図２ｂの機能モジュール２１０ａ〜２１０ｅ、および図４のコンピュータプログラム４２０ａ（下を参照されたい）にも適用される。
【００６１】
図３ａは、いくつかの機能ユニットに関して、一実施形態によるクライアントノード３００ａのコンポーネントを概略的に例示する。処理回路３１０は、たとえば、ストレージ媒体３３０の形態で（図４にあるように）コンピュータプログラム製品４１０ｂに記憶されたソフトウェア命令を実行することが可能な、好適な中央処理ユニット（ＣＰＵ）、マルチプロセッサ、マイクロコントローラ、デジタル信号プロセッサ（ＤＳＰ）などのうちの１つまたは複数の任意の組合せを使用して提供される。処理回路３１０はさらに、少なくとも１つの特定用途向け集積回路（ＡＳＩＣ）、またはフィールドプログラマブルゲートアレイ（ＦＰＧＡ）として提供されてもよい。
【００６２】
とりわけ、処理回路３１０は、クライアントノード３００ａに、一組の動作またはステップＳ２０２〜Ｓ２０８、Ｓ４０４、Ｓ４０５、Ｓ４０６を実施させるように設定される。これらの動作またはステップＳ２０２〜Ｓ２０８、Ｓ４０４、Ｓ４０５、Ｓ４０６は、下で開示することにする。たとえば、ストレージ媒体３３０は、一組の動作を記憶することができ、処理回路３１０は、クライアントノード３００ａに一組の動作を実施させるために、ストレージ媒体３３０から一組の動作を取り出すように設定されてよい。一組の動作は、一組の実行可能な命令として提供されてよい。こうして処理回路３１０は、それによって、本明細書で開示する方法を実行するように構成される。
【００６３】
ストレージ媒体３３０はまた、たとえば、磁気メモリ、光学メモリ、ソリッドステートメモリ、さらにはリモートに搭載されるメモリのうちのいずれか単独の１つまたは組合せであってよい、永続的なストレージを備えることができる。
【００６４】
クライアントノード３００ａは、少なくとも制御ノード２００との通信のための、通信インターフェース３２０をさらに備えることができる。そうしたことから、通信インターフェース３２０は、アナログおよびデジタルコンポーネントを備える１つまたは複数の送信機および受信機と、好適な数の、ワイヤレス通信のためのアンテナとワイヤライン通信のためのポートとを備えることができる。
【００６５】
処理回路３１０は、たとえば、データおよび制御信号を通信インターフェース３２０およびストレージ媒体３３０に送ることによって、データおよび報告を通信インターフェース３２０から受信することによって、ならびにデータおよび命令をストレージ媒体３３０から取り出すことによって、クライアントノード３００ａの全般の動作を制御する。クライアントノード３００ａの他のコンポーネント、ならびに関係する機能性は、本明細書で提示する概念を曖昧にしないように省略する。
【００６６】
図３ｂは、いくつかの機能モジュールに関して、一実施形態によるクライアントノード３００ａのコンポーネントを概略的に例示する。図３ｂのクライアントノード３００ａは、下のステップＳ２０４、Ｓ４０４を実施するように設定された受信モジュール３１０ａを備える。図３ｂのクライアントノード３００ａはさらに、下のステップＳ２０２を実施するように設定された監視モジュール３１０ｂ、下のステップＳ２０６、Ｓ４０５を実施するように設定された開始モジュール３１０ｃ、および下のステップＳ２０８、Ｓ４０６を実施するように設定されたエンターモジュール３１０ｄのうちのいずれかなど、いくつかの随意の機能モジュールを備えることができる。各機能モジュール３１０ａ〜３１０ｄの機能性は、機能モジュール３１０ａ〜３１０ｄが使用され得るコンテキストにおいて下でさらに開示される。一般論として、各機能モジュール３１０ａ〜３１０ｄは、ハードウェアまたはソフトウェアで実装されてよい。好ましくは、１つもしくは複数の、またはすべての機能モジュール３１０ａ〜３１０ｄが、処理回路３１０によって実装されてよく、場合により機能ユニット３２０および／または３３０と協力して実装されてよい。処理回路３１０はこうして、機能モジュール３１０ａ〜３１０ｄによって提供される命令をストレージ媒体３３０からフェッチし、これらの命令を実行するように構成されてよく、それによって、以下で開示するように任意のステップを実施する。
【００６７】
クライアントノード３００ａは、スタンドアロンデバイスとして、または少なくとも１つのさらなるデバイスの一部として提供されてよい。たとえば、クライアントノード３００ａは、ワイヤレスデバイス１５０ａにおいて提供されてよい。したがって、ワイヤレスデバイス１５０ａの任意の処理回路、通信インターフェース、およびストレージ媒体は、クライアントノード３００ａの処理回路３１０、通信インターフェース３２０、およびストレージ媒体３３０と共有されてよい。こうして、ワイヤレスデバイス１５０ａの処理回路、通信インターフェース、およびストレージ媒体が、本明細書で開示するクライアントノード３００ａの機能性を実装するように設定されている限り、クライアントノード３００ａが、それ自体の処理回路３１０と、通信インターフェース３２０と、ストレージ媒体３３０とを有する必要はない。
【００６８】
図４は、コンピュータ可読手段４３０を備えるコンピュータプログラム製品４１０ａ、４１０ｂの一例を示す。このコンピュータ可読手段４３０上に、コンピュータプログラム４２０ａが記憶され得、そのコンピュータプログラム４２０ａは、処理回路２１０、ならびに通信インターフェース２２０およびストレージ媒体２３０など、処理回路２１０に動作可能に結合されたエンティティおよびデバイスに、本明細書で説明する実施形態による方法を実行させることができる。コンピュータプログラム４２０ａおよび／またはコンピュータプログラム製品４１０ａは、こうして、本明細書で開示する、制御ノード２００の任意のステップを実施するための手段を提供することができる。このコンピュータ可読手段４３０上に、コンピュータプログラム４２０ｂが記憶され得、そのコンピュータプログラム４２０ｂは、処理回路３１０、ならびに通信インターフェース３２０およびストレージ媒体３３０など、処理回路３１０に動作可能に結合されたエンティティおよびデバイスに、本明細書で説明する実施形態による方法を実行させることができる。コンピュータプログラム４２０ｂおよび／またはコンピュータプログラム製品４１０ｂは、こうして、本明細書で開示する、クライアントノード３００の任意のステップを実施するための手段を提供することができる。
【００６９】
図４の例では、コンピュータプログラム製品４１０ａ、４１０ｂは、ＣＤ（コンパクトディスク）もしくはＤＶＤ（デジタル多用途ディスク）、またはブルーレイディスクなどの光学ディスクとして例示されている。コンピュータプログラム製品４１０ａ、４１０ｂはまた、ランダムアクセスメモリ（ＲＡＭ）、読み出し専用メモリ（ＲＯＭ）、消去可能なプログラマブル読み出し専用メモリ（ＥＰＲＯＭ）、または電気的に消去可能なプログラマブル読み出し専用メモリ（ＥＥＰＲＯＭ）などのメモリとして、より詳細には、ＵＳＢ（ユニバーサルシリアルバス）メモリ、またはコンパクトフラッシュメモリなどのフラッシュメモリなど、外部メモリにおけるデバイスの不揮発性ストレージ媒体として具現化され得る。こうして、コンピュータプログラム４２０ａ、４２０ｂは、ここでは、図示された光学ディスク上のトラックとして概略的に示されているが、コンピュータプログラム４２０ａ、４２０ｂは、コンピュータプログラム製品４１０ａ、４１０ｂに好適な任意のやり方で記憶されてよい。
【００７０】
図５および図６は、制御ノード２００によって実施される、グループ通信システム１００、１１００ａ、１１００ｂ、１１００ｃにおいて少なくとも１つのクライアントノード３００ａ、３００ｂ、３００ｃ、３００ｄ、３００ｅをページングするための方法の実施形態を例示する流れ図である。図７および図８は、クライアントノード３００ａによって実施される、グループ通信システム１００、１１００ａ、１１００ｂ、１１００ｃにおいてページングを受信するための方法の実施形態を例示する流れ図である。方法は、有利には、コンピュータプログラム４２０ａ、４２０ｂとして提供される。
【００７１】
次に、一実施形態による、制御ノード２００によって実施される、グループ通信システム１００、１１００ａ、１１００ｂ、１１００ｃにおいて少なくとも１つのクライアントノード３００ａ、３００ｂ、３００ｃ、３００ｄ、３００ｅをページングするための方法を例示する図５を参照する。
【００７２】
グループ通信システム１００、１１００ａ、１１００ｂ、１１００ｃにおいて少なくとも１つのクライアントノード３００ａ、３００ｂ、３００ｃ、３００ｄ、３００ｅをページングすることの要求があると仮定される。制御ノード２００は、そのため、ステップＳ１０２を実施することによって、そのような要求を取得するように設定される。
【００７３】
Ｓ１０２：制御ノード２００は、グループ通信システム１００、１１００ａ、１１００ｂ、１１００ｃにおいて少なくとも１つのクライアントノード３００ａ、３００ｂ、３００ｃ、３００ｄ、３００ｅをページングすることの要求を取得する。制御ノード２００が、ページングするこの要求をどのように取得することができるかについての異なるやり方を下で開示する。この点において、第１の取得モジュール２１０ａは命令を備え、命令は、制御ノード２００によって実行されるとき、処理回路２１０に、場合により通信インターフェース２２０およびストレージ媒体２３０と一緒に、制御ノード２００がステップＳ１０２を実施するために、ページングすることの要求を取得させる。
【００７４】
ページングの送信は、ＭＢＭＳを介してアプリケーションレベルページングと組み合わせられ、それによって、ページングされている少なくとも１つのクライアントノード３００ａ、３００ｂ、３００ｃ、３００ｄ、３００ｅが接続モードへのそのノードの切替えを加速することを可能にし、それによって、ページングされている少なくとも１つのクライアントノード３００ａ、３００ｂ、３００ｃ、３００ｄ、３００ｅが高速および効率的な様式でパケットを受信することを許可する。したがって、制御ノード２００は、ステップＳ１０６にあるように、ページングメッセージ１１２０を送信するように設定される。
【００７５】
Ｓ１０６：制御ノード２００は、少なくとも１つのクライアントノード３００ａ、３００ｂ、３００ｃ、３００ｄ、３００ｅのためのページングメッセージ１１２０を送信する。ページングメッセージ１１２０は、少なくとも１つのクライアントノード３００ａ、３００ｂ、３００ｃ、３００ｄ、３００ｅにＭＢＭＳベアラ上で送信される。この点において、送信モジュール２１０ｂは命令を備え、命令は、制御ノード２００によって実行されるとき、処理回路２１０に、場合により通信インターフェース２２０およびストレージ媒体２３０と一緒に、制御ノード２００がステップＳ１０６を実施するために、ページングメッセージ１１２０を送信させる。
【００７６】
次に、グループ通信システム１００、１１００ａ、１１００ｂ、１１００ｃにおいて少なくとも１つのクライアントノード３００ａ、３００ｂ、３００ｃ、３００ｄ、３００ｅをページングすることのさらなる詳細に関係した実施形態を開示する。
【００７７】
少なくとも１つのクライアントノード３００ａ、３００ｂ、３００ｃ、３００ｄ、３００ｅは、ページングメッセージ１１２０がブロードキャストされるときにアイドルモードにあってよい。したがって、一実施形態によれば、ページングメッセージ１１２０は、アイドルモードにあるクライアントノード３００ａ、３００ｂ、３００ｃ、３００ｄ、３００ｅによって受信されることを意図される。
【００７８】
ステップＳ１０６において送信され得る、異なる種類のページングメッセージ１１２０が存在してもよい。次に、異なる種類のページングメッセージ１１２０に関係した異なる実施形態を開示する。
【００７９】
第１の実施形態によれば、ページングメッセージ１１２０は、個々のページングメッセージ１１２０である。こうして、ページングメッセージ１１２０は、個々のページングメッセージ１１２０を表すことができる。この個々のページングメッセージ１１２０は、少なくとも１つのクライアントノード３００ａ、３００ｂ、３００ｃ、３００ｄ、３００ｅに送信される。個々のページングメッセージは、そのため、いくつかの態様によれば、少なくとも１つのクライアントノード３００ａ、３００ｂ、３００ｃ、３００ｄ、３００ｅのうちのこのクライアントノードの識別子を備える。
【００８０】
第２の実施形態によれば、ページングメッセージ１１２０は、グループページングメッセージ１１２０である。こうして、ページングメッセージ１１２０は、１つの共通グループページングメッセージ１１２０を表すことができる。この共通グループページングメッセージ１１２０は、クライアントノード３００ａ、３００ｂ、３００ｃ、３００ｄ、３００ｅのグループ１１１０ａ、１１１０ｂに送信される。グループページングメッセージは、そのため、いくつかの態様によれば、少なくとも１つのクライアントノード３００ａ、３００ｂ、３００ｃ、３００ｄ、３００ｅのグループ１１１０ａ、１１１０ｂの識別子を備える。
【００８１】
ステップＳ１０６にあるように、ページングメッセージ１１２０が送信され得る、異なる種類のＭＢＭＳベアラが存在してもよい。次に、異なる種類のＭＢＭＳベアラに関係した異なる実施形態を開示する。
【００８２】
第１の実施形態によれば、ＭＢＭＳベアラは、サービス告知ＭＢＭＳベアラである。したがって、ページングメッセージ１１２０が送信され得るＭＢＭＳベアラは、グループ通信システム１００、１１００ａ、１１００ｂ、１１００ｃにおいてサービス告知のために使用され得る。
【００８３】
第２の実施形態によれば、ＭＢＭＳベアラは、フロア制御のためのＭＢＭＳベアラである。したがって、ページングメッセージ１１２０が送信され得るＭＢＭＳベアラは、グループ通信システム１００、１１００ａ、１１００ｂ、１１００ｃにおいてフロア制御のために使用され得る。
【００８４】
第３の実施形態によれば、ＭＢＭＳベアラは、グループ通信制御メッセージＭＢＭＳベアラである。したがって、ページングメッセージ１１２０が送信され得るＭＢＭＳベアラは、グループ通信システム１００、１１００ａ、１１００ｂ、１１００ｃにおいて制御メッセージのために使用され得る。
【００８５】
第４の実施形態によれば、ＭＢＭＳベアラは、一般グループ通信ＭＢＭＳベアラ、たとえば、グループ通信システム１００、１１００ａ、１１００ｂ、１１００ｃにおいてメディア送信のために使用されるＭＢＭＳベアラである。
【００８６】
次に、さらなる実施形態による、制御ノード２００によって実施される、グループ通信システム１００、１１００ａ、１１００ｂ、１１００ｃにおいて少なくとも１つのクライアントノード３００ａ、３００ｂ、３００ｃ、３００ｄ、３００ｅをページングするための方法を例示する図６を参照する。ステップＳ１０２およびＳ１０６は、上で開示したように実施される。
【００８７】
制御ノード２００がページングすることの要求を取得するための異なるやり方が存在してもよい。次に、制御ノード２００がページングすることの要求を取得することに関係した異なる実施形態を説明する。
【００８８】
第１の実施形態によれば、制御ノード２００は、ステップＳ１０２ａにあるように、パケットが、少なくとも１つのクライアントノード３００ａ、３００ｂ、３００ｃ、３００ｄ、３００ｅに宛てられることの結果として、要求を取得するように設定される。
【００８９】
Ｓ１０２ａ：制御ノード２００は、少なくとも１つのパケットが、少なくとも１つのクライアントノード３００ａ、３００ｂ、３００ｃ、３００ｄ、３００ｅに宛てられるという指示を取得する。ステップＳ１０２ａは、ステップＳ１０２と一緒に、またはそれの一部として実施されてもよい。この指示は、少なくとも１つのパケットが発生している、（別のクライアントノード３００ａ、３００ｂ、３００ｃ、３００ｄ、３００ｅなどの）ノードまたはデバイスから取得され得る。代替として、指示は、別の制御ノードから、または管理ノードから取得され得る。この点において、第２の取得モジュール２１０ｃは命令を備え、命令は、制御ノード２００によって実行されるとき、処理回路２１０に、場合により通信インターフェース２２０およびストレージ媒体２３０と一緒に、制御ノード２００がステップＳ１０２ａを実施するために、指示を取得させる。
【００９０】
さらに、第１の実施形態によれば、ページングメッセージ１１２０は、少なくとも１つのパケットが、ユニキャストベアラを介して少なくとも１つのクライアントノード３００ａ、３００ｂ、３００ｃ、３００ｄ、３００ｅに送信されることになることを示すことができる。
【００９１】
第２の実施形態によれば、少なくとも１つのクライアントノード３００ａ、３００ｂ、３００ｃ、３００ｄ、３００ｅは、グループ通信システム１００、１１００ａ、１１００ｂ、１１００ｃにおいてＭＢＭＳベアラ上でグループ呼に参加する。第２の実施形態によれば、制御ノード２００は、ステップＳ１０２ｂにあるように、少なくとも１つのクライアントノード３００ａ、３００ｂ、３００ｃ、３００ｄ、３００ｅがユニキャストベアラに移動されることの結果として、要求を取得するように設定される。
【００９２】
Ｓ１０２ｂ：制御ノード２００は、グループ呼がユニキャストベアラに移動されることになるという指示を取得する。ステップＳ１０２ｂは、ステップＳ１０２と一緒に、またはそれの一部として実施されてもよい。この点において、第３の取得モジュール２１０ｄは命令を備え、命令は、制御ノード２００によって実行されるとき、処理回路２１０に、場合により通信インターフェース２２０およびストレージ媒体２３０と一緒に、制御ノード２００がステップＳ１０２ｂを実施するために、指示を取得させる。
【００９３】
一般論として、各クライアントノード３００ａ、３００ｂ、３００ｃ、３００ｄ、３００ｅは、いくつかの態様によれば、グループ通信システム１００、１１００ａ、１１００ｂ、１１００ｃにおいて物理的に移動される間、それのロケーションを報告する。この報告することは、文献３ＧＰＰ  ＴＳ２３．１７９ｖｉ．２．０によって指定されるように実施され得る。このロケーション情報は、いくつかの態様によれば、少なくとも１つのクライアントノード３００ａ、３００ｂ、３００ｃ、３００ｄ、３００ｅがページングされることになるときに使用される。たとえば、少なくとも１つのクライアントノード３００ａ、３００ｂ、３００ｃ、３００ｄ、３００ｅは、その場合、現在のサービスエリア識別子（ＳＡＩ）エリアにおいてアクティブなベアラを介して、および随意に少なくとも１つのネイバーＳＡＩにおいてアクティブなベアラも介してページングされ得る。したがって、ページングメッセージ１１２０を送信するために使用されるＭＢＭＳベアラは、少なくとも１つのクライアントノード３００ａ、３００ｂ、３００ｃ、３００ｄ、３００ｅの、現在のＳＡＩによって規定される第１のエリアにおいて、または現在のＳＡＩに隣接するＳＡＩによって規定される少なくとも１つの第２のエリアにおいてアクティブであり得る。そのため、一実施形態によれば、制御ノード２００は、ステップＳ１０４を実施するように設定される。
【００９４】
Ｓ１０４：制御ノード２００は、少なくとも１つのクライアントノード３００ａ、３００ｂ、３００ｃ、３００ｄ、３００ｅの現在のロケーションを取得する。現在のロケーションは、その場合、現在のＳＡＩを規定することができる。ロケーション情報を用いて、少なくとも１つのクライアントノード３００ａ、３００ｂ、３００ｃ、３００ｄ、３００ｅは、大きいエリアを介してページングされる必要がない。ステップＳ１０４は、ステップＳ１０２の後であるがステップＳ１０６の前に実施されてもよい。この点において、第４の取得モジュール２１０ｅは命令を備え、命令は、制御ノード２００によって実行されるとき、処理回路２１０に、場合により通信インターフェース２２０およびストレージ媒体２３０と一緒に、制御ノード２００がステップＳ１０４を実施するために、現在のロケーションを取得させる。
【００９５】
次に、一実施形態による、クライアントノード３００ａによって実施される、グループ通信システム１００、１１００ａ、１１００ｂ、１１００ｃにおいてページングを受信するための方法を例示する図７を参照する。
【００９６】
Ｓ２０４：クライアントノード３００ａは、ＭＢＭＳベアラ上でクライアントノード３００ａのためのページングメッセージ１１２０を受信する。ページングメッセージ１１２０は、グループ通信システム１００、１１００ａ、１１００ｂ、１１００ｃの制御ノード２００から受信される。この点において、受信モジュール３１０ａは命令を備え、命令は、クライアントノード３００ａによって実行されるとき、処理回路３１０に、場合により通信インターフェース３２０およびストレージ媒体３３０と一緒に、クライアントノード３００ａがステップＳ２０４を実施するために、ページングメッセージ１１２０を受信させる。
【００９７】
次に、クライアントノード３００ａによって実施される、グループ通信システム１００、１１００ａ、１１００ｂ、１１００ｃにおいてページングを受信することのさらなる詳細に関係した実施形態を開示する。
【００９８】
上で開示したように、クライアントノード３００ａは、ページングメッセージ１１２０がブロードキャストされ、こうして、ステップＳ２０４においてクライアントノード３００ａによって受信されるときにアイドルモードにあり得る。したがって、一実施形態によれば、クライアントノード３００ａは、ステップＳ２０４においてページングメッセージ１１２０を受信するときにアイドルモードにある。
【００９９】
上でさらに開示したように、ステップＳ１０６において送信され、こうして、ステップＳ２０４においてクライアントノード３００ａによって受信され得る、異なる種類のページングメッセージ１１２０が存在してもよい。これらの実施形態はこうして、クライアントノード３００ａにも適用される。
【０１００】
第１の実施形態によれば、ページングメッセージ１１２０は、個々のページングメッセージ１１２０である。こうして、ページングメッセージ１１２０は、個々のページングメッセージ１１２０を表し、クライアントノード３００ａの個々の識別子を備えることができる。
【０１０１】
第２の実施形態によれば、ページングメッセージ１１２０は、グループページングメッセージ１１２０である。こうして、ページングメッセージ１１２０は、１つの共通グループページングメッセージ１１２０を表し、クライアントノード３００ａ、３００ｂ、３００ｃ、３００ｄ、３００ｅのグループ１１１０ａ、１１１０ｂのグループ識別子を備えることができ、クライアントノード３００ａは、グループ１１１０ａ、１１１０ｂのメンバーである。
【０１０２】
ページングメッセージ１１２０中に備えられた、異なる種類の情報が存在してもよい。たとえば、ページングメッセージ１１２０は、クライアントノード３００ａに宛てられた少なくとも１つのパケットが、ユニキャストベアラを介してクライアントノード３００ａに送信されることになることを示すことができる。追加または代替として、ページングメッセージ１１２０は、クライアントノード３００ａがユニキャスト無線ベアラを収集するものとすることを示すことができる。ページングメッセージ１１２０はこうして、いくつかの態様によれば、ユニキャスト上で送信されるパケットのために、クライアントノード３００ａを起動するようにサーブする。ＭＢＭＳベアラは、依然としてクライアントノード３００ａによって監視され得る。
【０１０３】
上でさらに開示したように、ページングメッセージ１１２０が、ステップＳ１０６において送信され、こうして、ステップＳ２０４においてクライアントノード３００ａによって受信され得る、異なる種類のＭＢＭＳベアラが存在してもよい。これらの実施形態はこうして、クライアントノード３００ａにも適用される。第１の実施形態によれば、ＭＢＭＳベアラは、グループ通信システム１００、１１００ａ、１１００ｂ、１１００ｃにおいてサービス告知のために使用される。第２の実施形態によれば、ＭＢＭＳベアラは、グループ通信システム１００、１１００ａ、１１００ｂ、１１００ｃにおいてフロア制御のために使用される。第３の実施形態によれば、ＭＢＭＳベアラは、グループ通信システム１００、１１００ａ、１１００ｂ、１１００ｃにおいて制御メッセージのために使用される。第４の実施形態によれば、ＭＢＭＳベアラは、一般グループ通信ＭＢＭＳベアラ、たとえば、グループ通信システム１００、１１００ａ、１１００ｂ、１１００ｃにおいてメディア送信のために使用されるＭＢＭＳベアラである。
【０１０４】
次に、さらなる実施形態による、クライアントノード３００ａによって実施される、グループ通信システム１００、１１００ａ、１１００ｂ、１１００ｃにおいてページングを受信するための方法を例示する図８を参照する。ステップＳ２０４は、上で開示したように実施される。
【０１０５】
ページングメッセージ１１２０は、クライアントノード３００ａが監視しているベアラを介して送られ得る。クライアントノード３００ａはこうして、ページングメッセージ１１２０を受信するときにすでにＭＢＭＳベアラを監視していることがある。したがって、クライアントノード３００ａは、ステップＳ２０２を実施するように設定され得る。
【０１０６】
Ｓ２０２：クライアントノード３００ａは、ページングメッセージ１１２０を受信するより前にＭＢＭＳベアラを監視する。この点において、監視モジュール３１０ｂは命令を備え、命令は、クライアントノード３００ａによって実行されるとき、処理回路３１０に、場合により通信インターフェース３２０およびストレージ媒体３３０と一緒に、クライアントノード３００ａがステップＳ２０２を実施するために、ＭＢＭＳベアラを監視させる。
【０１０７】
ページングメッセージ１１２０を受信すると、クライアントノード３００ａによってとられる異なるアクションが存在してもよい。とりわけ、クライアントノード３００ａは、ステップＳ２０６とＳ２０８とを実施するように設定され得る。
【０１０８】
Ｓ２０６：クライアントノード３００ａは、コアネットワークノードとのサービス要求を開始する。サービス要求は、クライアントノード３００ａが接続モードに入るために開始される。この点において、開始モジュール３１０ｃは命令を備え、命令は、クライアントノード３００ａによって実行されるとき、処理回路３１０に、場合により通信インターフェース３２０およびストレージ媒体３３０と一緒に、クライアントノード３００ａがステップＳ２０６を実施するために、サービス要求を開始させる。
【０１０９】
Ｓ２０８：クライアントノード３００ａは、無線アクセスベアラ（ＲＡＢ）を再確立することによって、接続モードに入る。この点において、エンターモジュール３１０ｄは命令を備え、命令は、クライアントノード３００ａによって実行されるとき、処理回路３１０に、場合により通信インターフェース３２０およびストレージ媒体３３０と一緒に、クライアントノード３００ａがステップＳ２０８を実施するために、接続モードに入らせる。
【０１１０】
ＭＢＭＳベアラは、それによって、ユニキャストを介した着信パケットが存在し、クライアントノード３００ａが、そのため、サービス要求を開始し、接続モードに入り、ＲＡＢを再確立するべきであるという、クライアントノード３００ａへの通知を加速するために使用され得る。これは、とりわけ、アイドルモードにあり、ＭＢＭＳベアラを監視している、クライアントノード３００ａに適用可能である。
【０１１１】
マルチキャストチャネル（ＭＣＨ）スケジューリング期間（ＭＳＰ）は、それによって、４０ｍｓ間隔まで設定され得る。これは、クライアントノード３００ａが、現況技術のＭＭＥ開始型ページングがクライアントノード３００ａに達する前に、接続モードへの状態転送を開始することを許可する。クライアントノード３００ａへのパケット（たとえば、メディア）のダウンリンク配信を可能にするために無線ベアラをセットアップするためのレイテンシが、こうして低減される。ページング部分のための節約は、平均３２０／２＝１６０ｍｓ（さらには、ネットワーク事業者が、このパラメータを、たとえば６４０ｍｓまたは１２８０ｍｓに調節し得るので、それ以上）から平均４０／２＝２０ｍｓと同程度の低さまでの領域内にあり得る。すなわち、図１を参照すると、矢印１７０によって規定される、本明細書で開示する実施形態のシグナリングフローは、矢印１６０によって規定される、現況技術のシグナリングフローの前にクライアントノード３００ａに達する。
【０１１２】
次に、図１０のシグナリング図を参照して、グループ通信システム１００、１１００ａ、１１００ｂ、１１００ｃにおいて少なくとも１つのクライアントノード３００ａ、３００ｂ、３００ｃ、３００ｄ、３００ｅをページングするための１つの特定の実施形態を詳細に開示する。
【０１１３】
Ｓ４０１：第２のクライアントノードと示されているクライアントノード３００ｂは、第１のクライアントノード３００ａによって受信されることを意図されたデータを送信する。
【０１１４】
Ｓ４０２：制御ノード２００は、第２のクライアントノード３００ｂが、第１のクライアントノード３００ａによって受信されることを意図されたデータを送信するという指示を取得する。それに応答して、制御ノード２００は、データをコアネットワーク１３０に送信する。ステップＳ４０２を実装するための１つのやり方は、ステップＳ１０２およびステップＳ１０２ａのいずれかを実施することである。
【０１１５】
Ｓ４０３：第２のクライアントノード３００ｂが、第１のクライアントノード３００ａによって受信されることを意図されたデータを送信するという指示は、グループ通信システムにおいて第１のクライアントノード３００ａをページングすることの要求として制御ノード２００によって読み取られる。制御ノード２００はまた、そのため、指示を取得したことに応答して、ＭＢＭＳベアラ上で第１のクライアントノード３００ａのためのページングメッセージ１１２０を送信する。ステップＳ４０３を実装するための１つのやり方は、ステップＳ１０６を実施することである。
【０１１６】
Ｓ４０４：ページングメッセージ１１２０は、無線アクセスネットワーク１２０によって受信され、フォワーディングされる。無線アクセスネットワーク１４０は、その場合、第１のクライアントノード３００ａにページングメッセージ１１２０を配信する。したがって、第１のクライアントノード３００ａは、ＭＢＭＳベアラ上でページングメッセージ１１２０を受信する。ステップＳ４０４を実装するための１つのやり方は、ステップＳ２０４を実施することである。
【０１１７】
Ｓ４０５：第１のクライアントノード３００ａは、ページングを受信したことに応答して、無線アクセスネットワーク１２０を介してコアネットワーク１３０へのサービス要求を行う。ステップＳ４０５を実装するための１つのやり方は、ステップＳ２０６を実施することである。
【０１１８】
Ｓ４０６：ユニキャスト無線アクセスベアラが、サービス要求に応答して第１のクライアントノード３００ａのために確立される。これは、第１のクライアントノード３００ａに接続モードに入らせる。ステップＳ４０６を実装するための１つのやり方は、ステップＳ２０８を実施することである。
【０１１９】
Ｓ４０７：コアネットワーク１３０は、確立された無線アクセスベアラを介してユニキャスト送信を使用して第１のクライアントノード３００ａにデータを配信する。
【０１２０】
Ｓ４０８：コアネットワーク１３０は、随意に、後の時点において第１のクライアントノード３００ａをページングする。このページングは、コアネットワーク１３０からクライアントノード３００ａをページングするために、現況技術のページング機構に従って実施される。
【０１２１】
グループ通信システム１１００ａが、図１１（ａ）に概略的に例示されていると仮定する。グループ通信システム１１００ａは、クライアントノード３００ａ、３００ｂの第１のグループ１１１０ａを備え、ここで、クライアントノード３００ａ、３００ｂの第１のグループ１１１０ａは、ＭＢＭＳベアラ上でグループ呼に関与する。のための
【０１２２】
ＭＢＭＳがグループ通信のために使用されるとき、制御ノード２００は、ほぼリアルタイムで、クライアントノードの別のグループがＭＢＭＳリソースを使用すると決定し得る。そのため、図１１（ｂ）のグループ通信システム１１００ｂの状況について考える。図１１（ａ）のグループ通信システム１１００ａに関して、図１１（ｂ）のグループ通信システム１１００ｂは、クライアントノード３００ｃ、３００ｄ、３００ｅの第２のグループ１１１０ｂをさらに備え、ここで、グループ呼が、クライアントノード３００ｃ、３００ｄ、３００ｅの第２のグループ１１１０ｂのために始動される。ＭＢＭＳを介して両方のグループをサーブするために十分なＭＢＭＳリソースがない場合、グループのうちの一方がユニキャスト送信に移動されなければならない。第１のグループ１１１０ａにおけるクライアントノード３００ａ、３００ｂよりも高い数の、第２のグループ１１１０ｂにおけるクライアントノード３００ｃ、３００ｄ、３００ｅがあると仮定する。制御ノード２００は、そのため、クライアントノード３００ａ、３００ｂの第１のグループ１１１０ａがユニキャストに移動されるものと決定し、そのため、ステップＳ１０６にあるように、クライアントノード３００ａ、３００ｂの第１のグループ１１１０ａにページングメッセージ１１２０を送信する。このページングメッセージが、ステップＳ２０４にあるように、クライアントノード３００ａ、３００ｂの第１のグループ１１１０ａによって受信されると仮定される。制御ノード２００はこうして、クライアントノード３００ａ、３００ｂの第１のグループ１１１０ａをページングし、その場合、（従来技術の状態よりもはるかに速く）クライアントノード３００ｃ、３００ｄ、３００ｅの第２のグループ１１１０ｂに、新しいグループ呼のためのＭＢＭＳベアラを使用させるために、グループ呼をユニキャスト送信に移動することができる。
【０１２３】
その結果として、クライアントノード３００ａ、３００ｂの第１のグループ１１１０ａはユニキャストに移動され、したがって、以前はＭＢＭＳベアラ上で行われたグループ呼が、今度は、ユニキャスト上で行われる。クライアントノード３００ｃ、３００ｄ、３００ｅの第２のグループ１１１０ｂのためのグループ呼は、その場合、ＭＢＭＳベアラ上で始動され得る。この状況は、図１１（ｃ）のグループ通信システム１１００ｃにおいて例示されている。これは、クライアントノード３００ｃ、３００ｄ、３００ｅの第２のグループ１１１０ｂのグループ呼がユニキャスト上で始動された場合と比較して、リソース効率性を改善する。現在、既存のページングプロシージャを使用することは、遅延、および場合によりパケットロスを生じる。
【０１２４】
本発明の概念を、主に数個の実施形態を参照して上で説明してきた。しかしながら、当業者によって直ちに認識されるように、上で開示した実施形態以外の実施形態も、添付の特許請求の範囲によって規定される本発明の概念の範囲内で等しく可能である。
【図１】
2020109981.tif 000003
【図２ａ】
2020109981.tif 000004
【図２ｂ】
2020109981.tif 000005
【図３ａ】
2020109981.tif 000006
【図３ｂ】
2020109981.tif 000007
【図４】
2020109981.tif 000008
【図５】
2020109981.tif 000009
【図６】
2020109981.tif 000010
【図７】
2020109981.tif 000011
【図８】
2020109981.tif 000012
【図９】
2020109981.tif 000013
【図１０】
2020109981.tif 000014
【図１１】
2020109981.tif 000015
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
グループ通信システム（１００、１１００ａ、１１００ｂ、１１００ｃ）の制御ノード（２００）によって実施される、前記グループ通信システム（１００、１１００ａ、１１００ｂ、１１００ｃ）において少なくとも１つのクライアントノード（３００ａ、３００ｂ、３００ｃ、３００ｄ、３００ｅ）をページングするための方法であって、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得すること（Ｓ１０２）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信すること（Ｓ１０６）と
を備える方法。
【請求項２】
クライアントノード（３００ａ）によって実施される、グループ通信システム（１００、１１００ａ、１１００ｂ、１１００ｃ）においてページングを受信するための方法であって、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること（Ｓ２０４）
を備える方法。
【請求項３】
処理回路（２１０）を備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、前記処理回路が、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得することと、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信することと
を行わせるように設定される、制御ノード（２００）。
【請求項４】
処理回路（３１０）を備える、グループ通信システム（１００、１１００ａ、１１００ｂ、１１００ｃ）においてページングを受信するためのクライアントノード（３００ａ）であって、前記処理回路が、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること
を行わせるように設定される、クライアントノード（３００ａ）。
【手続補正２】
【補正対象書類名】明細書
【補正対象項目名】０１２４
【補正方法】変更
【補正の内容】
【０１２４】
本発明の概念を、主に数個の実施形態を参照して上で説明してきた。しかしながら、当業者によって直ちに認識されるように、上で開示した実施形態以外の実施形態も、添付の特許請求の範囲によって規定される本発明の概念の範囲内で等しく可能である。
さらに、本開示は以下の条項に記載の実施形態を含む。
（条項１）
グループ通信システム（１００、１１００ａ、１１００ｂ、１１００ｃ）の制御ノード（２００）によって実施される、前記グループ通信システム（１００、１１００ａ、１１００ｂ、１１００ｃ）において少なくとも１つのクライアントノード（３００ａ、３００ｂ、３００ｃ、３００ｄ、３００ｅ）をページングするための方法であって、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得すること（Ｓ１０２）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信すること（Ｓ１０６）と
を備える方法。
（条項２）
ページングする前記必要性を取得することは、
少なくとも１つのパケットが、前記少なくとも１つのクライアントノード（３００ａ、３００ｂ、３００ｃ、３００ｄ、３００ｅ）に宛てられるという指示を取得すること（Ｓ１０２ａ）
を備える、条項１に記載の方法。
（条項３）
前記ページングメッセージ（１１２０）は、前記少なくとも１つのパケットが、ユニキャストベアラを介して前記少なくとも１つのクライアントノード（３００ａ、３００ｂ、３００ｃ、３００ｄ、３００ｅ）に送信されることになることを示す、条項２に記載の方法。
（条項４）
前記少なくとも１つのクライアントノード（３００ａ、３００ｂ、３００ｃ、３００ｄ、３００ｅ）が、前記グループ通信システム（１００、１１００ａ、１１００ｂ、１１００ｃ）においてＭＢＭＳベアラ上でグループ呼に参加し、ページングする前記必要性を取得することは、
前記グループ呼がユニキャストベアラに移動されることになるという指示を取得すること（Ｓ１０２ｂ）
を備える、条項１に記載の方法。
（条項５）
前記ページングメッセージ（１１２０）が、少なくとも１つのクライアントノード（３００ａ、３００ｂ、３００ｃ、３００ｄ、３００ｅ）に送信される個々のページングメッセージ（１１２０）を表す、条項１に記載の方法。
（条項６）
前記個々のページングメッセージ（１１２０）が、前記少なくとも１つのクライアントノード（３００ａ、３００ｂ、３００ｃ、３００ｄ、３００ｅ）のうちの１つの識別子を備える、条項５に記載の方法。
（条項７）
前記ページングメッセージ（１１２０）が、クライアントノード（３００ａ、３００ｂ、３００ｃ、３００ｄ、３００ｅ）のグループ（１１１０ａ、１１１０ｂ）に送信される、１つの共通グループページングメッセージ（１１２０）を表す、条項１に記載の方法。
（条項８）
前記グループページングメッセージ（１１２０）が、前記少なくとも１つのクライアントノード（３００ａ、３００ｂ、３００ｃ、３００ｄ、３００ｅ）の前記グループ（１１１０ａ、１１１０ｂ）の識別子を備える、条項７に記載の方法。
（条項９）
前記ＭＢＭＳベアラが、前記グループ通信システム（１００、１１００ａ、１１００ｂ、１１００ｃ）においてサービス告知のために使用される、条項１に記載の方法。
（条項１０）
前記ＭＢＭＳベアラが、前記グループ通信システム（１００、１１００ａ、１１００ｂ、１１００ｃ）においてフロア制御のために使用される、条項１に記載の方法。
（条項１１）
前記ＭＢＭＳベアラが、前記グループ通信システム（１００、１１００ａ、１１００ｂ、１１００ｃ）において制御メッセージのために使用される、条項１に記載の方法。
（条項１２）
前記ＭＢＭＳベアラが、前記グループ通信システム（１００、１１００ａ、１１００ｂ、１１００ｃ）において一般グループ通信ＭＢＭＳベアラである、条項１に記載の方法。
（条項１３）
前記ページングメッセージ（１１２０）を送信するために使用される前記ＭＢＭＳベアラが、前記少なくとも１つのクライアントノード（３００ａ、３００ｂ、３００ｃ、３００ｄ、３００ｅ）の、現在のサービスエリア識別子（ＳＡＩ）によって規定される第１のエリアにおいて、または前記現在のＳＡＩに隣接するＳＡＩによって規定される少なくとも１つの第２のエリアにおいてアクティブである、条項１に記載の方法。
（条項１４）
前記少なくとも１つのクライアントノード（３００ａ、３００ｂ、３００ｃ、３００ｄ、３００ｅ）の現在のロケーションを取得すること（Ｓ１０４）をさらに備え、前記現在のロケーションが前記現在のＳＡＩを規定する、
条項１３に記載の方法。
（条項１５）
前記少なくとも１つのクライアントノード（３００ａ、３００ｂ、３００ｃ、３００ｄ、３００ｅ）は、前記ページングメッセージ（１１２０）がブロードキャストされるときにアイドルモードにある、条項１に記載の方法。
（条項１６）
クライアントノード（３００ａ）によって実施される、グループ通信システム（１００、１１００ａ、１１００ｂ、１１００ｃ）においてページングを受信するための方法であって、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること（Ｓ２０４）
を備える方法。
（条項１７）
前記クライアントノード（３００ａ）が、前記ページングメッセージ（１１２０）を受信するときにアイドルモードにある、条項１６に記載の方法。
（条項１８）
前記ページングメッセージ（１１２０）は、前記クライアントノード（３００ａ）に宛てられた少なくとも１つのパケットが、ユニキャストベアラを介して前記クライアントノード（３００ａ）に送信されることになることを示す、条項１６に記載の方法。
（条項１９）
前記ページングメッセージ（１１２０）は、前記クライアントノード（３００ａ）がユニキャスト無線ベアラを収集するものとすることを示す、条項１６に記載の方法。
（条項２０）
前記ページングメッセージ（１１２０）を受信するより前に前記ＭＢＭＳベアラを監視すること（Ｓ２０２）
をさらに備える、条項１６に記載の方法。
（条項２１）
前記ページングメッセージ（１１２０）を受信すると、
コアネットワークノードとのサービス要求を開始すること（Ｓ２０６）と、
無線アクセスベアラ（ＲＡＢ）を再確立することによって、接続モードに入ること（Ｓ２０８）と
をさらに備える、条項１６に記載の方法。
（条項２２）
ページングメッセージ（１１２０）が前記クライアントノード（３００ａ）の個々の識別子を備える、条項１６に記載の方法。
（条項２３）
前記ページングメッセージ（１１２０）が、クライアントノード（３００ａ、３００ｂ、３００ｃ、３００ｄ、３００ｅ）のグループ（１１１０ａ、１１１０ｂ）のグループ識別子を備え、前記クライアントノード（３００ａ）が前記グループ（１１１０ａ、１１１０ｂ）のメンバーである、条項１６に記載の方法。
（条項２４）
前記ＭＢＭＳベアラが、前記グループ通信システム（１００、１１００ａ、１１００ｂ、１１００ｃ）においてサービス告知のために使用される、条項１６に記載の方法。
（条項２５）
前記ＭＢＭＳベアラが、前記グループ通信システム（１００、１１００ａ、１１００ｂ、１１００ｃ）においてフロア制御のために使用される、条項１６に記載の方法。
（条項２６）
前記ＭＢＭＳベアラが、前記グループ通信システム（１００、１１００ａ、１１００ｂ、１１００ｃ）において制御メッセージのために使用される、条項１６に記載の方法。
（条項２７）
前記ＭＢＭＳベアラが、前記グループ通信システム（１００、１１００ａ、１１００ｂ、１１００ｃ）において一般グループ通信ＭＢＭＳベアラである、条項２６に記載の方法。
（条項２８）
処理回路（２１０）を備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、前記処理回路が、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得することと、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信することと
を行わせるように設定される、制御ノード（２００）。
（条項２９）
処理回路（２１０）と、
命令を記憶するコンピュータプログラム製品（４１０ａ）と
を備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、前記命令が、前記処理回路（２１０）によって実行されるとき、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得することと、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信することと
を行わせる、制御ノード（２００）。
（条項３０）
グループ通信システム（１００、１１００ａ、１１００ｂ、１１００ｃ）において少なくとも１つのクライアントノード（３００ａ、３００ｂ、３００ｃ、３００ｄ、３００ｅ）をページングするための制御ノード（２００）であって、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得するように設定された取得モジュール（２１０ａ）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信するように設定された送信モジュール（２１０ｂ）と
を備える制御ノード（２００）。
（条項３１）
処理回路（３１０）を備える、グループ通信システム（１００、１１００ａ、１１００ｂ、１１００ｃ）においてページングを受信するためのクライアントノード（３００ａ）であって、前記処理回路が、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること
を行わせるように設定される、クライアントノード（３００ａ）。
（条項３２）
処理回路（３１０）と、
命令を記憶するコンピュータプログラム製品（４１０ｂ）と
を備える、グループ通信システム（１００、１１００ａ、１１００ｂ、１１００ｃ）においてページングを受信するためのクライアントノード（３００ａ）であって、前記命令が、前記処理回路（３１０）によって実行されるとき、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること
を行わせる、クライアントノード（３００ａ）。
（条項３３）
グループ通信システム（１００、１１００ａ、１１００ｂ、１１００ｃ）においてページングを受信するためのクライアントノード（３００ａ）であって、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信するように設定された受信モジュール（３１０ａ）
を備えるクライアントノード（３００ａ）。
（条項３４）
コンピュータコードを備える、グループ通信システム（１００、１１００ａ、１１００ｂ、１１００ｃ）において少なくとも１つのクライアントノード（３００ａ、３００ｂ、３００ｃ、３００ｄ、３００ｅ）をページングするためのコンピュータプログラム（４２０ａ）であって、前記コンピュータコードが、制御ノード（２００）の処理回路（２１０）上で起動するとき、前記制御ノード（２００）に、
前記グループ通信システム（１００、１１００ａ、１１００ｂ、１１００ｃ）において前記少なくとも１つのクライアントノード（３００ａ、３００ｂ、３００ｃ、３００ｄ、３００ｅ）をページングする必要性を取得すること（Ｓ１０２）と、
前記少なくとも１つのクライアントノード（３００ａ、３００ｂ、３００ｃ、３００ｄ、３００ｅ）にＭＢＭＳベアラ上で前記少なくとも１つのクライアントノード（３００ａ、３００ｂ、３００ｃ、３００ｄ、３００ｅ）のためのページングメッセージ（１１２０）を送信すること（Ｓ１０６）と
を行わせる、コンピュータプログラム（４２０ａ）。
（条項３５）
コンピュータコードを備える、グループ通信システム（１００、１１００ａ、１１００ｂ、１１００ｃ）においてページングを受信するためのコンピュータプログラム（４２０ｂ）であって、前記コンピュータコードが、クライアントノード（３００ａ）の処理回路（３１０）上で起動するとき、前記クライアントノード（３００ａ）に、
前記グループ通信システム（１００、１１００ａ、１１００ｂ、１１００ｃ）の制御ノード（２００）からＭＢＭＳベアラ上で前記クライアントノード（３００ａ）のためのページングメッセージ（１１２０）を受信すること（Ｓ２０４）
を行わせる、コンピュータプログラム（４２０ｂ）。
（条項３６）
条項３２および３３のうちの少なくとも一項に記載のコンピュータプログラム（４２０ａ、４２０ｂ）と、前記コンピュータプログラムが記憶されるコンピュータ可読ストレージ媒体（４３０）とを備えるコンピュータプログラム製品（４１０ａ、４１０ｂ）。
【外国語明細書】
2020109981000001.pdf